(57)【特許請求の範囲】
【請求項１】
天井に設けた孔に挿通可能であって天部に穴を有する器具本体と、天板部と前記天板部の両側より下方に延出した一対の側部を有し前記一対の側部の各端部が前記器具本体に取付けられて前記器具本体の上側に位置するヨークと、前記穴を通して前記器具本体の上方で前記ヨークの内側に配置されたランプソケットを有して前記器具本体内に首振り可能に設けられた灯具とを備え、前記孔に挿通可能に前記器具本体の側方に張り出して前記灯具を最大首振り角度に傾斜したとき前記ランプソケットが内側に進入可能な突出部を、前記ヨークの前記側部の一方を外向きにくの字にすることにより形成するとともに、前記天板部は前記器具本体の前記穴を通して突出した前記ランプソケットの傾斜状態の側面の上側を覆うように形成されていることを特徴とする照明器具。
【請求項２】
天井に設けた孔に挿通可能であって天部に穴を有する器具本体と、天板部と前記天板部の両側より下方に延出した一対の側部を有し前記器具本体の上側に位置するヨークと、前記穴を通して前記ヨークの前記一対の側部の各端部が取付けられて前記器具本体内に水平方向に回転可能に支持されるコーンを有し前記コーンに首振り可能に取付けられて前記穴を通して前記器具本体の上方で前記ヨークの内側に配置された前記ランプソケットを設けたカバーを有する灯具とを備え、前記孔に挿通可能に前記器具本体の側方に張り出して前記灯具を最大首振り角度に傾斜したとき前記ランプソケットが内側に進入可能な突出部を、前記ヨークの前記側部の一方を外向きにくの字にすることにより形成するとともに、前記天板部は前記器具本体の前記穴を通して突出した前記ランプソケットの傾斜状態の側面の上側を覆うように形成されていることを特徴とする照明器具。
【発明の詳細な説明】
【０００１】
【発明の属する技術分野】
この発明は、照射方向可変型のダウンライトなどの照明器具に関するものである。
【０００２】
【従来の技術】
従来例を図５に示す。すなわち、この照明器具は、天井５０に設けた孔５１に挿通可能な器具本体５２と、ランプソケット５３を有して器具本体５２内に首振り可能に設けられた灯具５４とを備えた照射方向可変型の照明器具である。５５は天井取付ばね、５６は灯部回転軸、５７は電源線である。
【０００３】
【発明が解決しようとする課題】
しかし、この照明器具は、器具の小型化を図ると器具本体５２の内径が小さくなり、灯具５４の上部５４ａが本体内面に当たる、鉛直線に対する角度Ａが灯具５４の首振り角度の限界となるので、灯具５４の首振り角度が小さくなる。一方、灯具５４の首振り角度を大きくすると器具が大型化する。
【０００４】
したがって、この発明の目的は、器具本体を小型化できしかも首振り角度を大きくすることができる照明器具を提供することである。
【０００５】
【課題を解決するための手段】
請求項１記載の照明器具は、天井に設けた孔に挿通可能であって天部に穴を有する器具本体と、天板部と前記天板部の両側より下方に延出した一対の側部を有し前記一対の側部の各端部が前記器具本体に取付けられて前記器具本体の上側に位置するヨークと、前記穴を通して前記器具本体の上方で前記ヨークの内側に配置されたランプソケットを有して前記器具本体内に首振り可能に設けられた灯具とを備え、前記孔に挿通可能に前記器具本体の側方に張り出して前記灯具を最大首振り角度に傾斜したとき前記ランプソケットが内側に進入可能な突出部を、前記ヨークの前記側部の一方を外向きにくの字にすることにより形成するとともに、前記天板部は前記器具本体の前記穴を通して突出した前記ランプソケットの傾斜状態の側面の上側を覆うように形成されていることを特徴とするものである。
【０００６】
請求項１記載の照明器具によれば、天井の孔に挿通可能な突出部を設けたため、灯具のランプソケットが突出部の内側に進入することにより灯具の首振り角度を大きくすることができ、しかも器具本体を小型化することができる。またランプソケットに塵埃が付着する面を覆う天板部を設けたため、ランプソケットの高温部に塵埃が付着せず熱による塵埃の焼け等を防ぐことができる。
【０００７】
請求項２記載の照明器具は、天井に設けた孔に挿通可能であって天部に穴を有する器具本体と、天板部と前記天板部の両側より下方に延出した一対の側部を有し前記器具本体の上側に位置するヨークと、前記穴を通して前記ヨークの前記一対の側部の各端部が取付けられて前記器具本体内に水平方向に回転可能に支持されるコーンを有し前記コーンに首振り可能に取付けられて前記穴を通して前記器具本体の上方で前記ヨークの内側に配置された前記ランプソケットを設けたカバーを有する灯具とを備え、前記孔に挿通可能に前記器具本体の側方に張り出して前記灯具を最大首振り角度に傾斜したとき前記ランプソケットが内側に進入可能な突出部を、前記ヨークの前記側部の一方を外向きにくの字にすることにより形成するとともに、前記天板部は前記器具本体の前記穴を通して突出した前記ランプソケットの傾斜状態の側面の上側を覆うように形成されていることを特徴とするものである。
請求項２記載の照明器具によれば、請求項１と同様な効果のほか、突出部および天板部が灯具とともに回転するので水平回転角度を大きくすることができる。
【０００８】
【発明の実施の形態】
この発明の第１の実施の形態を図１および図２により説明する。すなわち、この照明器具は、器具本体１と、灯具２と、突出部３と、天板部４とを有する。
器具本体１は、天井５に設けた孔６に挿通可能な構成である。実施の形態では、例えば有天円筒形に形成しており、下端開口縁に外つば７を形成し、側壁に複数の取付具８を設け、器具本体１を天井５の孔６に通して孔６の下端縁部に外つば７を係止し、取付具８を天井５の上面に係止して、器具本体１を天井５に取付けている。また器具本体１の内面に設けた係止部（図示せず）に例えばマジックばねを用いた枠支持ばね２０を摺動可能に係合し、枠支持ばね２０を枠２１に取付けて、枠２１を器具本体１に対して上下動可能に設け、枠２１の上昇位置で外つば７を被覆している。１８は天部に設けた穴である。
【０００９】
灯具２は、ランプソケット９を有して器具本体１内に首振り可能に設けられている。実施の形態では、ランプソケット９にランプ１０が装着され、ランプソケット９をソケット台１２に取付けている。ソケット台１２はランプ１０の外周を被覆する略筒状のカバー１４の上端部にねじ１７により取付けられて器具本体１の穴１８より上方に突出し、ランプソケット９の後端部をソケット台１２の上端のソケット取付部１２ｂの内面に取付けてランプソケット９の前端部をカバー１４内に向けている。ランプソケット９に装着されたランプ１０の先端はカバー１４を通り抜けてその下端部より下方に突出している。カバー１４は両側の相対向位置に一対の軸受け凹部１６を設けている。コーン１１は略円筒状であり、カバー１４の外周に遊嵌し下端部が枠２１の内つばに載置され、枠２１の立ち上がり部２１ａにガイドされて水平回転自在になっている。このコーン１１は軸受け凹部１６を軸支する軸部１５を設けている。したがって、カバー１４を軸部１５の回りに回動すると、ソケット台１２に取付けられたランプソケット９およびランプ１０が例えば想像線のように首振りし、コーン１１を枠２１に対して水平回転すると、ランプ１０が水平回転する。
【００１０】
突出部３は、孔６に挿通可能に器具本体１の側方に張り出して灯具２を最大首振り角度に傾斜したとき、ランプソケット９が内側に進入可能な構成である。実施の形態では器具本体１の上端部に略逆Ｕ字形のヨーク２３を設け、その一側部を例えばくの字形に折曲することにより突出部３を形成している。ヨーク２３の一端部を器具本体１の天部にねじ２２により取付け、突出部３のある他端部を器具本体１の側面に取付けている。このため、突出部３は器具本体１から側方の外方に突出しているが、一部だけのため孔６を通して天井裏に挿通できる。またランプソケット９のあるソケット台１２を突出部３の内側に向けて灯具２を最大傾斜したとき灯具２が図１のように傾斜するので、器具本体１を小型化してもそれよりもソケット台１２が外方に突出する角度にランプ１０を傾斜することができる。またヨーク２３の幅方向は天井裏に開口しているため、最大角度に傾斜した状態で器具本体１を水平回転することができる。その範囲はヨーク２３の突出部３と対向する垂直壁２５にソケット台１２の回動が規制される範囲Ａであり、範囲Ａは３６０度以下であるが約１８０度を超える角度である。
【００１１】
２６は垂直壁２５に取付けられた端子台、２７は端子台２６とランプソケット９とを接続するリード線である。
天板部４は、少なくともランプソケット９に塵埃が付着する面を覆うものである。実施の形態では、ヨーク２３の天部２３ａが相当するが、突出部３の一部を形成する突出部３の上側傾斜部２３ｂもソケット取付部１２ｂ上を覆っている。ヨーク２３の天部２３ａは図２に示すように、ランプソケット９の最大傾斜角度でソケット台１２の側面の上部１２ａの水平回動軌跡を被覆する略円板形に形成している。
【００１２】
このようにして、最大首振り角度に灯具２を傾けたとき、ランプソケット９の側面を覆うソケット台１２の側面の上部１２ａがいかなる場合も器具上部からの投影面内に収める理由はつぎのとおりである。すなわち、最大首振り角度に灯具２を傾けたとき、ランプ１０の熱が器具の下方からの対流によりソケット台１２の上部１２ａに伝達され、上部１２ａは加熱されてかなり高温となる。しかしランプソケット９のソケット取付部１２ｂはランプ１０の熱伝導のみで対流の作用をほとんど受けないため、上部１２ａに比べると温度は低くなる。よって、ソケット台１２の側面の上部１２ａを器具上方から覆っていれば高温部の露出により高温部に付着する塵埃の焼け等を防ぐことができる。
【００１３】
この実施の形態によれば、天井５の孔６に挿通可能な突出部３を設けたため、灯具２のランプソケット９が突出部３の内側に進入することにより灯具２の首振り角度を大きくすることができ、しかも器具本体１を小型化することができる。またランプソケット９に塵埃が付着する面を覆う天板部４を設けたため、ランプソケット９の高温部に塵埃や水滴が付着せず熱による塵埃の焼け等を防ぐことができる照射方向可変型照明器具（ユニバーサルダウンライト）を提供できる。
【００１４】
この発明の第２の実施の形態を図３および図４により説明する。すなわち、第１の実施の形態において、灯具２は水平方向に回転可能であり、かつ突出部３および天板部４は灯具２と一体に回転する。この実施の形態では、ヨーク２３をコーン１１に取付けたものである。この場合、ヨーク２３の両側空間にソケット台１２が延びることがないので、天板部４の面積を小さくすることができ、また器具本体１も天部側にヨーク取付部が必要でなく、器具本体１の高さを低くしカバー１４を上方に突出させる程度に器具本体１を小型化することができる。
【００１５】
この実施の形態によれば、灯具２は水平方向に回転可能であり、かつ突出部３および天板部４は灯具２と一体に回転するため、水平回転角度を第１の実施の形態よりもさらに大きくすることができ、３６０度回転が可能な照射方向可変型照明器具（ユニバーサルダウンライト）が実現可能である。
その他は第１の実施の形態と同様である。
【００１６】
【発明の効果】
請求項１記載の照明器具によれば、天井の孔に挿通可能な突出部を設けたため、灯具のランプソケットが突出部の内側に進入することにより灯具の首振り角度を大きくすることができ、しかも器具本体を小型化することができる。またランプソケットに塵埃が付着する面を覆う天板部を設けたため、ランプソケットの高温部に塵埃が付着せず熱による塵埃の焼け等を防ぐことができる。
【００１７】
請求項２記載の照明器具によれば、請求項１と同様な効果のほか、突出部および天板部が灯具とともに回転するので水平回転角度を大きくすることができる。
【図面の簡単な説明】
【図１】この発明の第１の実施の形態の半断面側面図である。
【図２】その平面図である。
【図３】第２の実施の形態の半断面側面図である。
【図４】その平面図である。
【図５】従来例の半断面側面図である。
【符号の説明】
１    器具本体
２    灯具
３    突出部
４    天板部
５    天井
６    孔
９    ランプソケット
【図１】
0003601291.tif 000002
【図２】
0003601291.tif 000003
【図３】
0003601291.tif 000004
【図４】
0003601291.tif 000005
【図５】
0003601291.tif 000006